(57)【要約】【課題】溜枡等に蓄積した浮遊物の除去のために、作業者は、例えば調理用の網付きおたま等の器具を用いて作業を行わざるを得なかった。しかし、このような器具は、すくい部が円形であるため、溜枡内に突出する汚水配管の下方や配管と溜枡内壁の間の狭いスペースに蓄積した浮遊物を除去することは非常に困難であった。【解決手段】先端部を開閉可能な一対の柄３を有する挟みと、前記一対の柄３の間に設けた多孔性シート２からなり、該シート２は両端部に筒状の取り付け部５を有し、該取り付け部５に前記柄３を通して、前記挟みに装着されているように構成された浮遊物除去具１を提供した。【選択図】　図１
2004000879.tif 000002
【特許請求の範囲】
【請求項１】
先端部を開閉可能な一対の柄を有する挟みと、前記一対の柄の間に設けた多孔性シートからなり、該シートは、両端部に筒状の取り付け部を有し、該取り付け部に前記柄を通して、前記挟みに装着されていることを特徴とする浮遊物除去具。
【請求項２】
前記挟みが、金属製またはプラスチック樹脂製の帯状物を実質的にＶ字型に折り曲げた形状を有することを特徴とする請求項１に記載の浮遊物除去具。
【請求項３】
前記シートは、前記先端部が開いた状態で前記一対の柄の先端部位の間に形成される空間の底面を覆うように装着されるものであり、前記取り付け部は前記先端部を挿入可能な開口部を後方に有し、かつ前記一対の柄の先端部間に形成される高さ方向の空間を覆う前面壁が形成されていることを特徴とする請求項１または２に記載の浮遊物除去具。
【請求項４】
前記一対の柄に貫通孔が設けられ、該貫通孔に留め具が通されることで前記シートが前記挟みに装着されていることを特徴とする請求項１〜３のいずれか１項に記載の浮遊物除去具。
【請求項５】
先端部を開閉可能な一対の柄を有する挟みに、前記先端部が開いた状態で、前記一対の柄の先端部の間に形成される空間の底面を覆うように装着される多孔性シートであって、
両側部に、前記先端部を後方開口部より挿入可能な筒状取り付け部が設けられており、かつ前記一対の柄の先端間に形成される高さ方向の空間を覆う前面壁が形成されていることを特徴とするシート。
【発明の詳細な説明】
【０００１】
【本発明の属する技術分野】
本発明は、家庭等から排出される排水中に存在する浮遊物、特に溜枡内に流入した汚水中の浮遊物を容易に除去するための、浮遊物除去具に関する。
【０００２】
【従来の技術】
家庭排水は、地中に設けられた溜枡に一旦溜められてから下水道に流れ込む仕組みになっている。溜枡内に流入した排水中に存在する廃物は、その比重により沈殿物として蓄積したり、水面上に浮遊物として溜まっていくので、作業者は配管の詰まりを防止するために定期的にこれらの沈殿物や浮遊物を除去する必要があり、大変な手間と時間をかけねばならなかった。これまで、例えば登録実用新案第３０６０６５１において、溜枡内の沈殿物を除去するための籠状の設備が提案されている。しかし、この設備では、水面付近の浮遊物（例えばヌカなど）を除去することはできないし、今までにこのような浮遊物を容易に除去するための特別な器具は提案されていなかった。
【０００３】
【発明が解決しようとする課題】
従って、溜枡内に蓄積した浮遊物を除去するために、作業者は、例えば調理用の網付きおたま等の器具を用いて作業を行わざるを得なかった。しかし、このような器具は、すくい部が円形であるため、溜枡内に突出する汚水配管の下方や配管と溜枡内壁の間の狭いスペースに蓄積した浮遊物を除去することは非常に困難であった。
【０００４】
本発明は、このような問題点を解消し、溜枡等に蓄積した浮遊物を簡便かつ確実に除去することを可能ならしめる浮遊物除去具を提供することを課題とする。
【０００５】
【課題を解決するための手段】
本発明の浮遊物除去具は、先端部を開閉可能な一対の柄を有する挟みと、前記一対の柄の間に設けた多孔性シートからなり、該シートは、両端部に筒状の取り付け部を有し、該取り付け部に前記柄を通して、前記挟みに装着されているように構成したことによって、上記課題を解決したものである。
【０００６】
このような浮遊物除去具であれば、多孔性シートを、一対の柄の間に渡して張るようにして、このシートを汚水に漬けて挟みごと引き上げるように使用するだけで、浮遊物を簡単にすくいあげることができる。シートには多数の孔が設けられているので、液体を濾して浮遊物のみがシート上に残されることとなる。また、使用者が握力を加減して、挟みの柄の先端部を開閉することにより、一対の柄の間隔を拡げたり狭めたりできるので、特に、溜枡に突き出た配管の下方や溜枡内壁の隅などの狭いスペースに蓄積した浮遊物も確実に除去することが可能となる。また、本浮遊物除去具は、溜枡の他に、側溝内の汚水の浮遊物、貯水槽や池等の浮遊物を除去するのも好適に使用され得る。
【０００７】
なお、ここで「多孔性シート」とは、天然繊維、合成繊維、金属繊維等からなるメッシュ状の織物、編物や、孔が多数形成された不織物などで、かつ可撓性を有するシートを指す。浮遊物を効果的に捕らえるためには、上記のメッシュ又は孔の大きさを、０．０１〜５．０平方ミリメートルに設定したものが好ましく、特に０．１〜３．０平方ミリメートルものがより好ましい。このシートに、耐水性、耐腐食性、軽量性および適度な強度を付与するには、合成繊維製のメッシュ素材からなるものが好適である。特にポリエステル製のメッシュ素材であれば、製造にかかるコストも低く抑えられるので、安価な浮遊物除去具を提供し得ることとなり好都合である。
【０００８】
また、前記シートは両端部に筒状の取り付け部を有し、該取り付け部に前記柄を通して前記挟みに装着される構成であれば、必要に応じて浮遊物をすくった後の使用済のシートを簡単に挟みから取り外すことができるし、新しいシートの装着も速やかに行うことが可能となる。挟みを再利用しつつ、シートを交換するだけで、新品同様の浮遊物除去具を準備できるので、極めて経済的である。またこの使用済みのシートは、捕らえた浮遊物ごと廃棄できるので衛生的であるし、使い勝手に優れるものである。この筒状の取り付け部を設ける具体的な構成としては、多孔性シートの両端を筒状に折り曲げて形成したものが挙げられる。
【０００９】
また、具体的な挟みの構造として、金属製またはプラスチック樹脂製の帯状物を実質的にＶ字型に折り曲げた形状のものが挙げられる。このような単純な構成のであれば、さらに製造コストを低く抑えることができるし、また比較的軽量で扱いやすい浮遊物除去具を提供できるというメリットもある。
【００１０】
さらに、前記シートが前記先端部が開いた状態で前記一対の柄の先端部位の間に形成される空間の底面を覆うように装着されるものであり、前記取り付け部は前記先端部を挿入可能な開口部を後方に有し、かつ前記一対の柄の先端部間に形成される高さ方向の空間を覆う前面壁が形成されているように構成したものであれば、すくった挟みを引き上げる動作の際に、いったん捕捉した浮遊物を前面壁で留めて落下するのを防止できて、使い勝手がいっそう優れたものになる。
【００１１】
加えて、前記一対の柄に貫通孔が設けられ、該貫通孔に留め具が通されることで前記シートが前記挟みに装着されているような構成であれば、この留め具によりシートを柄に確実に装着することができて、浮遊物除去作業中にシートが脱落することを防止できることとなる。例えば割りピンなどの留め具であれば、着脱のために特別な工具を必要としないし、着脱操作を容易に行えるというメリットがある。
【００１２】
さらに、本願では、先端部を開閉可能な一対の柄を有する挟みに装着される多孔性シートのみについても規定しているので、例えば前記の挟みを市販の火挟みやトングで代用し、これの柄に本発明のシートの筒状の取り付け部を通すだけで、上述と同様の効果を有する浮遊物除去具を得ることが可能となる。
【００１３】
【発明の実施の形態】
以下に、本発明の実施例を図面に従って説明する。
浮遊物除去具１は、図１に示すように、一対の柄３の端どうしが連結された挟みと、この挟みの柄３の間に形成される空間の底面を覆うように装着される多孔性シート２とを具備してなる。
【００１４】
挟みは、長さが約９０センチ、巾が約２．２センチ、厚さが約１ミリのステンレス製の帯状物を、中央付近で実質的にＶ字型に折り曲げて一対の柄３を有するようにしたもので、使用者が握力を調節することで柄３の先端を開閉できる構造のものである。柄３の中程に、後述する留め具６を通すための貫通孔を有している。
【００１５】
多孔性シート２は、孔の大きさが約１．０平方ミリメートルのポリエステル素材のメッシュから構成された略扇状のものであり、その左右の両端部に、挟みに装着するための筒状の取り付け部５と、取り付け部５の先端から繋がって高さ方向の空間を覆う前面壁４を備えている。取り付け部５の筒部の内寸は、挟みの柄３の巾より若干大きめに設定されていて、この取り付け部５の後部から筒部内に挟みの柄３の先がそれぞれ差し入れられるようになっている。多孔性シート２の大きさは、挟みに装着した場合に柄３の略半分を覆う程度のもので、底面に相当する部分は開いた挟みの柄３の間隔とほぼ同じ大きさに設定されており、前面壁４の高さは柄３の先端部の幅より若干長く、かつその前面壁４の幅は開いた先端部の間隔よりも若干狭く設定されている。したがって作業者が挟みに握力をかけて挟みの柄３どうしを狭めた場合に多孔性シート２は細く下に撓み、逆に握力を緩めて柄３どうしを離した場合に前面壁４がピンと張った状態で多孔性シート２は柄３の間に底面を形成するように構成されている。
【００１６】
次に、この浮遊物除去具１の使用について説明する。先ず、挟みの柄３の先のそれぞれを、取り付け部５の筒部の奥まで通した後、留め具６を柄３の貫通孔と多孔性シート２に通してそれらを挟みに固定することで、浮遊物除去具１をセットする。こうして準備のできた浮遊物除去具１を、例えば図２で示すような溜枡７内に下向けに斜めに差し込み、多孔性シート２を溜枡７内の汚水中に浸けてから持ち上げるように動かして、汚水の上面にある浮遊物８をすくい揚げる。多孔性シート２はメッシュ構造を有しているので、液体は下に流れ落ちて、浮遊物８だけを選択的に多孔性シート２上に残すことができるし、前面壁４を有しているので、いったんすくった浮遊物８を下にこぼれ落ちることも防止できる。溜枡７内には、図２に示すように、汚水流入管９と汚水流出管１０が内側に突出していて、これらの管の下方や内壁との間の箇所は狭くて浮遊物８を除去しにくいが、作業者はすくいたい水面の幅に合わせて、挟みを狭めて多孔性シート２を下に細く撓ませることで、簡単にこの浮遊物８をすくいあげることができる。
【００１７】
このようにして汚水から除去した浮遊物８を多孔性シート２から取り除いて、そのまま繰り返し浮遊物除去作業に用いることができる。あるいは、留め具を柄から外し、浮遊物を多孔性シート２ごと挟みから取り外して、そのまま手間をかけずに廃棄することもできる。引き続き浮遊物除去作業を行う場合には、新しい多孔性シート２を上記と同様の要領で挟みにセットして繰り返し用いればよい。
【００１８】
なお、本発明における構成は、以上説明したものに限定されないのは勿論である。例えば、柄の一部が屈曲した形の挟みでも構わない。また挟みとして種々の大きさの市販の火挟みを代用し、多孔性シートをセットして使用しても構わない。また多孔性シートは、図３で示すように前面壁を特に有さない単純な構成のものでも構わない。多孔性シートの素材は多孔性のものであればよく、例えば目の粗い濾紙や不織布でもよい。さらに、多孔性シートの縁先をパイピング加工して、すくった浮遊物をさらに落ちにくくするようにしても構わない。その他の構成についても、本発明の趣旨を逸脱しない範囲で種々の変形が可能である。
【００１９】
【発明の効果】
本発明の浮遊物除去具は、挟みの一対の柄の間に設けた多孔性シートを汚水に漬けて挟みごと引き上げるように使用するだけで、浮遊物を簡単にすくいあげることができるので、使い勝手に非常に優れている。この際、使用者は握力を加減して、挟みの柄の先端部の間隔、すなわち多孔性シートの幅を調節できるので、特に、溜枡に突き出た配管の下方や溜枡内壁の隅などの狭いスペースに蓄積した浮遊物も確実に除去することが可能となる。
【図面の簡単な説明】
【図１】本発明の一実施例を示すもので、本発明の浮遊物除去具の斜視図である。
【図２】本発明の浮遊物除去具が使用される溜枡の一例の側面図である。
【図３】本発明の別の一実施例を示すもので、本発明の浮遊物除去具の斜視図である。
【符号の説明】
１　浮遊物除去具
２　多孔性シート
３　柄
４　前面壁
５　取り付け部
６　留め具
７　溜枡
８　浮遊物
９　汚水流入管
１０　　汚水流出管
【図１】
2004000879.tif 000003
【図２】
2004000879.tif 000004
【図３】
2004000879.tif 000005